(57)【特許請求の範囲】
【請求項１】
複数の画像を接合する画像処理方法において、
接合させる複数の画像を表示するステップと、
接合すべき画像のはみ出した部分について、接合後に合成画像の一部とするか否か決定する決定ステップと、
前記決定ステップにおいて、前記はみ出した部分を合成画像の一部とすると決定した場合には、前記はみ出した部分を画像の一部として合成し、前記決定ステップにおいて、前記はみ出した部分を合成画像の一部としないと決定した場合には、前記はみ出した部分を削除して画像を合成して、前記複数の画像を接合することにより、新たな画像を合成するステップとを有することを特徴とする画像処理方法。
【請求項２】
前記はみ出した部分を画像の一部として合成するときは、前記はみ出した部分に隣接する画像の欠落した部分を補間処理によって求めるステップを更に有することを特徴とする請求項１に記載の画像処理方法。
【請求項３】
表示された画像の配置を、水平方向又は垂直方向に変更するステップと、
変更後の画像を表示するステップとを有することを特徴とする請求項１又は２に記載の画像処理方法。
【請求項４】
接合すべき画像の幅と高さの少なくとも一方が異なっている場合、接合すべき画像の接合位置を決定するステップを有することを特徴とする請求項１乃至３のいずれかに記載の画像処理方法。
【請求項５】
複数の画像を接合するときに、画像相互のオーバーラップ部分において、画像の少なくとも一つの色調もしくは明度の少なくとも一方を変更する表示変更ステップとを有することを特徴とする請求項１乃至４のいずれかに記載の画像処理方法。
【請求項６】
前記表示変更ステップは、前記オーバーラップ部分の色調を反転させることを特徴とする請求項５に記載の画像処理方法。
【請求項７】
前記表示変更ステップは、前記オーバーラップ部分に対応する画像信号相互の差分の絶対値に基づき、画像を表示するステップを有することを特徴とする請求項５に記載の画像処理方法。
【請求項８】
請求項１乃至７のいずれかに記載の画像処理方法を用いて画像処理を行う電子カメラ。
【請求項９】
請求項１乃至７のいずれかに記載の画像処理方法を実行させるためのプログラムを記録したコンピュータ読み取り可能な記録媒体。
【請求項１０】
請求項１乃至７のいずれかに記載の画像処理方法を用いて画像処理を行う画像入力装置。
【発明の詳細な説明】
【０００１】
【発明の属する技術分野】
本発明は、たとえば、電子カメラ等で撮影された複数の画像をディスプレイ上に表示して、かかる画像を接合する技術に関するものである。
【０００２】
【従来の技術】
光学式カメラにおいて、いわゆるパノラマ写真と呼ばれるプリントは、通常の写真に対して、横幅が長くなっているため、遠景等の画像を鑑賞するのに適している。一方、電子カメラにより撮影された画像は、画像処理により接合することが可能であるので、かかる画像処理によりパノラマ写真と同様な横長の画像を得ることができる。
【０００３】
【発明が解決しようとする課題】
ところで、例えば特開平９−３２２０６１号に、このような画像処理の例が開示されている。かかる従来技術の画像処理によれば、例えば一つの画像に他の画像を接合する場合、合計４パターンの配置の内、どの配置であるかをパターンマッチングにより判定するようにしている。しかし、この画像処理は、データの計算時間が比較的長くかかり、また判定精度も完全ではない恐れがあるという問題がある。
【０００４】
一方、既に製品として販売されているソフトウエアの画像処理には、接合する画像ファイルを選択した順に画像が表示されるようになっているものがある。しかしながら、かかる画像処理によれば、その配置を変えたい時には、画像を選択する順番を換えなければならない。また、画像を接合する際に、画像のはみだした部分が強制的に削除されてしまうようになっているが、ユーザーによっては、はみだした部分も必要とする場合もある。
【０００５】
更に、既に製品として販売されている他のソフトウエアの画像処理には、手動で対象画像の一致する部分を合わせた上で、接合を行うモードを有しているものがある、しかしながら、かかるモードによれば、接合状態がわかりにくいという問題がある。
【０００６】
加えて、かかる市販ソフトウエアの画像処理においては、自動的に画像を水平方向もしくは垂直方向に接合することが可能であるが、水平方向に接合する場合には、接合する画像相互の高さが等しいことを条件とし、垂直方向に接合する場合には、接合する画像相互の幅が等しいことを条件としている。従って、画像を接合する際には、その高さ又は幅を一致させるよう予め画像を加工する必要がある。更に、はみ出した部分をカットした画像と、オーバーラップ部分をもつ画像とを自動で接合することはできないという問題もある。
【０００７】
本発明の目的は、あらかじめオーバーラップ部分をもって撮影された画像を接合する際の、ユーザーの使い勝手を向上させた画像処理技術を提供することにある。
【０００８】
上述の目的を達成すべく、本発明の画像処理方法は、複数の画像を接合する画像処理方法であって、
接合させる複数の画像を表示するステップと、
接合すべき画像のはみ出した部分について、接合後に合成画像の一部とするか否か決定する決定ステップと、
前記決定ステップにおいて、前記はみ出した部分を合成画像の一部とすると決定した場合には、前記はみ出した部分を画像の一部として合成し、前記決定ステップにおいて、前記はみ出した部分を合成画像の一部としないと決定した場合には、前記はみ出した部分を削除して画像を合成して、前記複数の画像を接合することにより、新たな画像を合成するステップとを有することを特徴とする。
【００１０】
【作用】
本発明の画像処理方法によれば、接合させる複数の画像を表示するステップと、接合すべき画像のはみ出した部分について、接合後に合成画像の一部とするか否か決定する決定ステップと、前記決定ステップにおいて、前記はみ出した部分を合成画像の一部とすると決定した場合には、前記はみ出した部分を画像の一部として合成し、前記決定ステップにおいて、前記はみ出した部分を合成画像の一部としないと決定した場合には、前記はみ出した部分を削除して画像を合成して、前記複数の画像を接合することにより、新たな画像を合成するステップとを有するので、例えば画像の接合時にはみだした部分をカットするか、カットしないかをユーザーが選択することができ、それにより画像処理の自由度を広げることができる。
【００１２】
【発明の実施の形態】
以下、本発明による第１の実施の形態を、図面を参照して説明する。
図１は、本実施の形態にかかる画像処理方法に基づき、画像処理を行うパソコンのブロック図である。図１において、パソコンのＣＰＵ１は、ユーザーが操作するキーボード２又はマウス２ａからの指示により画像処理を行い、その結果をディスプレイに表示するようになっている。尚、ＣＰＵ１は、フロッピーディスク４等に記憶された情報を読み取り自在となっており、かかる情報としては、たとえば後述するような画像データあるいは画像処理を行うためのプログラム等がある。
【００１３】
図２は、複数の画像を接合する画像処理方法を示すフローチャートである。図３，４は、ディスプレイ３に表示されたダイアログボックスを示す図である。図２乃至４を参照して、本実施の形態を説明する。
【００１４】
まず、図２のステップＳ１０１で、ＣＰＵ１は、選択された画像をディスプレイ３のダイアログボックス上に表示する。ここでは、例として２枚の画像を接合する場合について説明する。表示の態様には色々考えられるが、例えば、ダイアログボックス上に、ユーザーがＣＰＵ１に記憶された画像ファイル（不図示）を選択した順に水平方向に左から表示することができる。尚、この際に表示される画像は、選択された画像を縮小した画像である。
【００１５】
ここで、最初に選択した画像を画像ＩＡ、続いて選択した画像を画像ＩＢとすると、図３に示すように、ディスプレイ３のダイアログボックス上で画像ＩＡが左側に画像ＩＢが右側に表示されるようになっている。このとき、あらかじめ垂直方向に接合する時がわかっている場合は、ＣＰＵ１の判断に基づき、垂直方向に表示してもかまわない。
【００１６】
更に、図２のステップＳ１０２において、ユーザーは、画像の配置が適切か否か判断することができる。画像の配置が適切でないと判断すれば、ユーザーは、接合位置に合わせて配置を変えるようにすればよい。
【００１７】
より具体的には、画像の配置変更を所望するユーザーは、図３で示すダイアログボックス上で、図２のステップＳ１０３において、「画像の配置」におけるラジオボタンＲ１乃至Ｒ４のいずれかをマウス等でクリックすることで、対応する画像の配置が選択できるようになっている。
【００１８】
初期状態では、ＣＰＵ１は、水平方向の接合で画像１が左側、画像２が右側となるように条件を設定している。これに対し、ユーザーは、２枚の画像を見て、接合する配置に合わせて画像の配置を選択すればよい。図３のダイアログボックス例の場合には、水平方向の接合で画像１が右側、画像２が左側の設定にすればよいので、ラジオボタンＲ２をクリックすることとなる。
【００１９】
画像の配置が選択された後に、ＣＰＵ１は、ディスプレイ３のダイアログボックス上に、選択された配置で画像を再表示する（図２のステップＳ１０４）。再表示されて画像が入れ替わった状態を、図４に示している。ここで、図２のフローはステップＳ１０２へと戻り、ユーザーは、かかる画像の表示を見ることにより、再度画像の配置が適切か否か判断することができる。接合する配置が適切と判断した場合には、ユーザーは、「接合」ボタンＢをクリックすることができる。
【００２０】
ユーザーが「接合」ボタンＢをクリックしたことに応動し、ＣＰＵ１は、画像を接合する画像処理を行って（図２のステップＳ１０５）、フローを終了する。尚、本実施の形態においては、画像ＩＢの右端部と画像ＩＡの左端部が接合するように、接合位置が計算され、それに基づき２枚の画像が接合されるようになっている。接合位置の計算方法については、様々な方法が考えられるが、通常はパターンマッチングを用いた方法が一般的である。尚、パターンマッチングについては既に公知であるため、その詳細な説明については省略する。
【００２１】
このように、本実施の形態によれば、画像を接合する配置をユーザー自身が確認できる。接合の配置をＣＰＵが計算により求めることも可能であるが、かかる場合、ＣＰＵにおける計算時間が長くなるという不具合があり、また計算の結果誤った配置が選択される恐れもある。本実施の形態によれば、選択された配置に基づき、縮小した画像を表示するようにしているので、ユーザーは、接合の配置が適切か否か、視覚を通じて直ちに判断できる。
【００２２】
図５は、本実施の形態の変形例を示す図である。ユーザーが「接合」ボタンＢをクリックしたことに応動し、ＣＰＵ１は、画像を接合する画像処理を行う（図２のステップＳ１０５）が、本変形例においては、ディスプレイ３のダイアログボックスを切り換えて、接合後の画像ＩＣと必要なラジオボタンＤ、Ｃのみを表示するようにしている。かかる場合、ユーザーが画像の接合は不適切であると判断した場合には、キャンセルボタンＣをクリックすることができ、それによりディスプレイ３のダイアログボックスは、図３に示すものへと再度切り替わるようになっている。従って、ユーザーは、再度画像の接合をやり直すことができる。
【００２３】
一方、ユーザーが画像の接合は適切であると判断した場合には、確認ボタンＤをクリックすることができ、それにより画像の接合が行われるようになっている。このように、本変形例によれば、画像を接合する前に、ユーザーが最終確認できるようにしているため、誤接合等が生じることを極力防止できるようになっている。
【００２４】
図６は、第２の実施の形態にかかる画像処理方法を示すフローチャートである。図７は、ディスプレイ３に表示されたダイアログボックスを示す図である。図８は、ディスプレイ３により表示される画像を示す図である。図６乃至８を参照して、本実施の形態を説明する。
【００２５】
図６のフローチャートは、図２のフローチャートに対し、ステップＳ１０５の直前に、ステップＳ１０４ａが設けられた点のみが異なっている。より具体的には、再表示された画像を確認したユーザーが「接合」ボタンＢをクリックしたことに応動し（ステップＳ１０２）、フローはステップＳ１０４ａに移行する。
【００２６】
一方、ＣＰＵ１は、ディスプレイ３のダイアログボックスを、予め図７に示すような状態で表示を行っている。より具体的には、はみ出した部分をカットするかしないかの決定を、予めユーザーに委ねるべく、決定のためのラジオボタンＲ５，Ｒ６が、ディスプレイ３のダイアログボックス右下に表示されるようになっている。
【００２７】
ここで、はみ出した部分をカットする処理について説明する。たとえば接合すべき矩形状の画像ＩＡと画像ＩＢとが、互いに上下にオフセットして撮像される場合がある。図８（ａ）に示す場合には、画像ＩＡに対して画像ＩＢが下方にオフセットした状態となっている。従って、画像ＩＡは、画像ＩＢの上縁から上方にはみ出した部分Ｐ１を有し、一方画像ＩＢは、画像ＩＡの下縁から下方にはみ出した部分Ｐ２を有している。尚、「はみ出した部分」とは、画像を水平方向に接合するときには、垂直方向にずれて突出した部分をいい、画像を垂直方向に接合するときには、水平方向にずれて突出した部分をいうものとする。
【００２８】
このようにはみ出した部分が生じた画像をそのまま接合すると、画像ＩＡの下方には画像データのない部分Ｎ１が存在し、一方画像ＩＢの上方にも同様に画像データのない部分Ｎ２存在することとなる。かかる部分Ｎ１、Ｎ２を、周囲部分の画像データ等から補間することにより、近似データとして求めることは可能であるが、必ずしも真の画像とはなり得ない。
【００２９】
そこで、本実施の形態においては、ユーザーに、このはみ出した部分の処理についての決定を委ねるようにしている。従って、ユーザーは、はみ出した部分をカットしたい場合には、図７に示すラジオボタンＲ５をクリックし、はみ出した部分をカットしたくない場合には、ラジオボタンＲ６をクリックすればよい。はみ出した部分をカットした後合成された画像は、図８（ｂ）に示されており、はみ出した部分をカットしないで合成された画像は、図８（ｃ）に示されている。
【００３０】
尚、はみ出した部分をカットしない場合には、画像データのない部分Ｎ１、Ｎ２についての処理が必要であるが、上述したように周囲部分の画像データ等から補間できるほか、空側は白、山側は黒で着色するようにしても良いし、あるいは双方とも同一色で塗りつぶすことも考えられる。
【００３１】
このように、本実施の形態によれば、画像の接合時にはみだした部分をカットするか、カットしないかをユーザーが選択することができ、それにより画像処理の自由度を広げることができる。
【００３２】
図９は、第３の実施の形態にかかる画像処理を説明する図である。ここで画像の高さがＨである３枚の画像を水平方向に接合する場合を考える。図９（ａ）に示すように、まず画像ＩＡと画像ＩＢを、上述した実施の形態と同様な処理により水平方向に接合する。このときユーザーは、接合時にはみ出した部分についてカットすべく、ラジオボタンＲ５（図７）をクリックしておく。
【００３３】
かかる場合、ＣＰＵ１は、画像ＩＡと画像ＩＢを接合し、より高さの低い画像ＩＤを合成する（図９（ｂ））。更に、ＣＰＵ１は、画像ＩＤと画像ＩＣとを接合し、図９（ｃ）に示す画像ＩＥを合成する。このように、本実施の形態によれば、接合時にはみ出した部分をカットした画像と、オーバーラップ部分をもつ画像を自動的に接合することができ、画像処理の自由度を広げることが可能となる。
【００３４】
図１０は、第４の実施の形態にかかる画像処理方法を示すフローチャートである。図１１乃至１２は、ディスプレイ３に表示されたダイアログボックスを示す図である。図１０乃至１２を参照して、本実施の形態を説明する。
【００３５】
図１０のフローチャートは、図６のフローチャートに対し、ステップＳ１０４ａの直前に、ステップＳ１０４ｂ及びステップＳ１０４ｃが設けられた点のみが異なっている。より具体的には、再表示された画像を確認したユーザーが「接合」ボタンＢをクリックしたことに応動し（ステップＳ１０２）、フローはステップＳ１０４ｂに移行する。
【００３６】
ここで、ＣＰＵ１は、ディスプレイ３のダイアログボックスを、図１１に示すような状態に切り換える。より具体的には、ＣＰＵ１は、ディスプレイ３のダイアログボックス中央に、接合された合成画像ＩＣを表示すると共に、接合を選択するためのボタンＢと、やり直しを選択するためのボタンＣとの間に、マニュアルモードを選択するためのボタンＭを表示する。
【００３７】
ユーザーは、表示された合成画像ＩＣを見ることにより、接合が適切か否か判断できる（ステップＳ１０４ｂ）。かかる場合、画像の接合状態をユーザーが確認しやすいように、画像がオーバーラップしている部分については、ＣＰＵ１は、２枚の画像の片方の色度を反転させるように画像処理を行う。具体的には、画像モードをＲＧＢとすると、左方の画像ＩＡ（図１２）におけるオーバーラップ部分のＲに関するオリジナル信号値をＳ１、右方の画像ＩＢ（図１２）におけるオーバーラップ部分のＲに関するオリジナル信号値をＳ２、この部分のＲに関する出力信号をＳ３とすると、ＣＰＵ１は例えば以下の計算をおこなう。
Ｓ３＝０．５×（２５５−Ｓ１）＋０．５×Ｓ２
更に、ＣＰＵ１は同様の計算をＧ，  Ｂに関しても行う。
【００３８】
この計算を行うことにより、画像ＩＡと画像ＩＢの接合位置が完全に一致している場合は、信号値Ｓ３は１２８となり、かかる信号値に基づく画像の色はグレーになる。ユーザーはオーバーラップ部分がグレーからどの程度ずれているかにより、接合位置が適正であるかどうかを判断することができる。
【００３９】
表示された合成画像ＩＣを見ることにより接合が適切であると判断したならば、ユーザーがボタンＢをクリックすることにより、フローはステップＳ１０４ｂへと移行し、はみ出した部分をカットするか否かを選択した後、画像の接合を行うことが可能となる（ステップＳ１０５）。
【００４０】
一方、ユーザーは、表示された合成画像ＩＣを見ることにより、接合が不適切であると判断したならば、ボタンＭをクリックすることができ、かかる場合、ＣＰＵ１は、マニュアルモードを設定する（ステップＳ１０４ｃ）。より具体的には、ＣＰＵ１は、ボタンＭのクリックに応動して、例えば図１２に示すようなダイアログボックスを表示する。
【００４１】
ユーザーは、このダイアログボックス上で片方の画像ＩＢ（又はＩＡ）の位置を、マウス等を用いてドラッグすることにより移動させ、所望の接合位置までシフトすることができる。また、画像の位置の移動はマウスでドラッグでなくても、例えば、スライドバーによって移動させてもかまわない。オーバーラップする画像の一方には、上述した実施の形態と同様に、色調の反転処理が施されるようになっている。
【００４２】
その後、ユーザーがボタンＭをクリックすれば、フローはステップＳ１０４ｂへと移行し、はみ出した部分をカットするか否かを選択した後、画像の接合を行うことが可能となる（ステップＳ１０５）。
【００４３】
このように、本実施の形態によれば、ＣＰＵ１が自動的に接合位置を求めた場合でも、かかる接合位置が不適切である場合や、一人の人物の画像を並べて双子のようにするというような特定の処理を望む場合には、必要な接合位置へとユーザー自ら画像をシフトできるようになっており、それにより画像処理の自由度を広げることができる。
【００４４】
尚、画像がオーバーラップしている部分については、画像の片方の色調を反転する以外にも、ユーザーの確認を容易にする態様が考えられる。かかる変形例について以下に説明する。まず、２枚の画像の信号値の差分の絶対値を計算する。具体的には、画像ＩＡのオーバーラップ部分のＲに関するオリジナル信号値をＳ１、画像ＩＢのオーバーラップ部分のＲに関するオリジナル信号値をＳ２、この部分のＲに関する出力信号をＳ３とすると、ＣＰＵ１は以下の計算をおこなう。
Ｓ３＝│Ｓ１−Ｓ２│更に、ＣＰＵ１は同様の計算をＧ，  Ｂに関しても行う。
【００４５】
このような計算を行うことにより、画像ＩＡと画像ＩＢの接合位置が完全に一致している場合は、信号値Ｓ３は０となり、かかる信号値に基づく画像の色は黒あるいは白になる。ユーザーは、オーバーラップ部分が黒あるいは白からどの程度ずれているかにより、接合位置が適正であるかどうかを判断することができる。従ってユーザーは、２枚の画像の接合位置が適正であるかどうかを容易に判断することができることとなる。
【００４６】
図１３は、第５の実施の形態にかかるデジタルカメラの斜視図である。図１３において、画像入力装置としてのデジタルカメラ１０は、上面にレリーズボタン１４を有し、背面にディスプレイ１１を有している。ディスプレイ１１の左方には、パノラマモードを設定可能なスイッチ１２が設けられている。更に、スイッチ１２の下方には、駒送りボタンと兼用となる画像シフトスイッチ１３ａ、１３ｂが設けられている。
【００４７】
画像の横幅が長いパノラマ画像を撮影できるパノラマモードを設定しようとするユーザーは、まずレリーズボタン１４を押圧することにより、第一の被写体を撮像する。それにより、第一の被写体の画像データが、デジタルカメラ１０に内蔵された記憶媒体（不図示）に記録される。ここでユーザーが、スイッチ１２を押圧することによりパノラマモードを設定すると、以下の処理が行われる。
【００４８】
まず、第一の画像を間引いた画像の左方端部ＩＢが、デジタルカメラ１０ディスプレイ１１における所定位置（本実施の形態では右端）に表示される。ここで、オーバーラップ部分となる端部ＩＢのサイズ（横幅）Ｓは、接合時のアルゴリズムに十分な値とすればよいが、かかるサイズが大きければディスプレイ１１のサイズが大きくなってしまい、小さければ接合精度が低下する恐れがあるので、これらを考慮し適切なサイズとすればよい。尚、本実施の形態においては、水平方向に接合する場合は、画像全体の幅を０．２倍したものをオーバーラップ部分としている。
【００４９】
更に、デジタルカメラ１０でモニタモードを設定することにより、第二の被写体のスルー画像ＩＡが、デジタルカメラ１０のディスプレイ１１の所定位置（本実施の形態では左方）に、第一の画像の端部ＩＢと重ねて表示される（図１３参照）。この際、例えば画像の端部ＩＢの色調を反転して表示すれば、上述したように接合位置が正しい場合にオーバーラップ部分がグレー色で表示され、それによりユーザーは、ディスプレイ１１を見ながら接合状態を確認できる。デジタルカメラ１０を上下左右に振りながら、適切な位置に画像がきたときにユーザーがレリーズボタン１４を押せば、第１の画像ＩＢに対して、はみ出した部分のきわめて少ない第２の画像ＩＡを得ることができ、それによりパノラマ画像の品質をより向上させることが可能となる。尚、このようにして撮影された画像の接合を、デジタルカメラ１０内で行うことももちろん可能である。かかる場合、ドラッグの代わりに、画像シフトスイッチ１３ａ、１３ｂを押すことにより、画像を左右にシフトすることができる
【００５０】
【発明の効果】
本発明の画像処理方法によれば、接合させる複数の画像を表示するステップと、表示された画像の配置を、水平方向又は垂直方向に変更するステップと、変更後の画像を表示するステップと、前記複数の画像を接合することにより、新たな画像を合成するステップとを有するので、たとえばユーザーは、画像を合成する前に、合成すべき画像の配置を確認でき、それにより画像の接合を適切に行うことができる。
【００５１】
本発明の画像入力装置によれば、撮像した複数の画像を表示する表示手段と、前記表示手段に表示された画像のオーバーラップ部分において、画像の少なくとも一つの色調もしくは明度の少なくとも一方を変更する変更手段とを有するので、撮像する際に、画像に適切なオーバーラップ量を与えることができ、それにより撮像後において画像の接合を適切に行うことが可能となる。
【図面の簡単な説明】
【図１】本実施の形態にかかる画像処理方法に基づき、画像処理を行うパソコン１のブロック図である。
【図２】複数の画像を接合する画像処理方法を示すフローチャートである。
【図３】ディスプレイ３に表示されたダイアログボックスを示す図である。
【図４】ディスプレイ３に表示されたダイアログボックスを示す図である。
【図５】第１の実施の形態の変形例を示す図である。
【図６】第２の実施の形態にかかる画像処理方法を示すフローチャートである。
【図７】ディスプレイ３に表示されたダイアログボックスを示す図である。
【図８】ディスプレイ３により表示される画像を示す図である。
【図９】第３の実施の形態にかかる画像処理を説明する図である。
【図１０】第４の実施の形態にかかる画像処理方法を示すフローチャートである。
【図１１】ディスプレイ３に表示されたダイアログボックスを示す図である。
【図１２】ディスプレイ３に表示されたダイアログボックスを示す図である。
【図１３】第５の実施の形態にかかるデジタルカメラの斜視図である。
【符号の説明】
１    ＣＰＵ
２    キーボード
３    ディスプレイ
４    フロッピーディスク
１０    デジタルカメラ
１１    デジタルカメラのディスプレイ
１２    パンラマモード設定用スイッチ
１３ａ、１３ｂ    画像シフトスイッチ
１４    レリーズボタン
Ｒ１乃至Ｒ６、Ｂ、Ｃ、Ｄ    ラジオボタン
ＩＡ、ＩＢ、ＩＣ、ＩＤ、ＩＥ    画像
【図１】
0003650870.tif 000002
【図２】
0003650870.tif 000003
【図３】
0003650870.tif 000004
【図４】
0003650870.tif 000005
【図５】
0003650870.tif 000006
【図６】
0003650870.tif 000007
【図７】
0003650870.tif 000008
【図８】
0003650870.tif 000009
【図９】
0003650870.tif 000010
【図１０】
0003650870.tif 000011
【図１１】
0003650870.tif 000012
【図１２】
0003650870.tif 000013
【図１３】
0003650870.tif 000014